【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
表示データを表示する表示部と、
前記表示部に表示される表示データをＮ（Ｎは２以上の整数）組に分割し、前記表示データの各画素の画素データを画素毎にＫ（Ｋは２以上の整数）組のビットデータに分割し前記Ｋ個のシリアル信号を生成する分割部と、
各々の前記分割部にて生成されたシリアル信号に対して、それぞれが異なる符号を乗算し、前記乗算の結果の信号を出力する乗算部と、
前記乗算部にて出力された信号をＭ（Ｍは、Ｍ≦Ｋの整数）個のシリアル信号に合成する合成部と、
前記合成部にて合成されたシリアル信号と前記符号との相関を計算することにより、前記合成部にて合成されたシリアル信号を前記Ｋ個のシリアル信号に復元する前記Ｎ個の復元部と、
前記復元部にて復元されたシリアル信号を並列信号に復元し、前記復元された並列信号に基づき前記表示部を駆動する前記Ｎ組の駆動部とを有することを特徴とする表示装置。
【請求項２】
表示データを表示する表示部と、
前記表示部に表示される表示データをＮ（Ｎは２以上の整数）組に分割し、前記表示データを前記各組毎に所定の画素順に所定のビット順でビットデータに変換して前記Ｎ個のビット並列のシリアル信号として生成する分割部と、
各々の前記分割部にて生成されたシリアル信号に対して、それぞれが異なる符号を乗算し、前記乗算の結果の信号を出力する乗算部と、
前記乗算部にて出力された信号をＭ（Ｍは、Ｍ≦Ｋの整数）個のシリアル信号に合成する合成部と、
前記合成部にて合成されたシリアル信号と前記符号との相関を計算することにより、前記合成部にて合成されたシリアル信号を前記Ｎ個のシリアル信号に復元する前記Ｎ個の復元部と、
前記復元部にて復元されたシリアル信号を並列信号に復元し、前記復元された並列信号に基づき前記表示部を駆動するＮ組の駆動部とを有することを特徴とする表示装置。
【請求項３】
前記表示部はマトリックス状に配置された表示素子を有し、線順次走査により表示されることを特徴とする請求項１または２に記載の表示装置。
【請求項４】
マトリックス状に配置された表示素子を有する表示部と、
前記表示部に表示される表示データをＮ（Ｎは２以上の整数）組に分割し、前記表示データを前記各組毎に所定の画素順に所定のビット順でビットデータに変換して前記Ｎ個のビット並列のシリアル信号を生成する分割部と、
前記分割部にて出力された各々のシリアル信号に対して、それぞれが異なる符号を乗算し、前記乗算の結果の信号を出力する乗算部と、
前記乗算部にて出力された信号をＭ（Ｍは、Ｍ≦Ｋの整数）個のシリアル信号に合成する合成部と、
前記合成部にて合成されたシリアル信号と前記符号との相関を計算することにより、前記合成部にて合成されたシリアル信号を前記Ｎ個のシリアル信号に復元する前記Ｎ個の復元部と、
前記復元部にて復元されたシリアル信号を記憶する記憶部と、
前記記憶部に記憶されたシリアル信号を並列信号に復元し、前記復元された並列信号に基づき前記表示部を前記表示素子の列毎に駆動する前記Ｎ組の駆動部とを有することを特徴とする表示装置。
【請求項５】
前記分割部は、前記表示部において表示しなおすことが必要な表示データの組のみを出力することを特徴とする請求項４に記載の表示装置。
【請求項６】
前記乗算部に供給される符号を発生する第１拡散符号発生部と、
前記復元部に供給され、前記乗算部に供給される符号と同一の符号を発生する第２拡散符号発生部とを有し、
前記第１拡散符号発生部と前記第２拡散符号発生部とは同一のクロック信号にて同期が取られることを特徴とする請求項１から５のいずれか１項に記載の表示装置。
【請求項７】
マトリックス状に配置された表示素子を有し線順次走査により表示駆動される表示部と、
前記表示部の走査線毎に表示データを生成する表示データ生成部と、
前記表示データ生成部にて生成された表示データを所定の各前記表示素子に駆動データとして配分するＮ（Ｎは２以上の整数）組の駆動部と、
隣接する走査線間で表示データの異なる部分を検出する検出部と、
前記検出部の検出結果に基づき、直近の走査線上で表示される表示データと異なる表示データが表示される１以上の画素を含む組に対してのみ、前記表示データ生成部から前記駆動部へ表示データを送出する表示データ選択送出部とを有することを特徴とする表示装置。
【請求項８】
前記駆動部の各組には符号多重のための符号が割り振られており、前記表示データ生成部から前記駆動部への表示データの伝送は、前記符号により前記駆動部のどの組へ送られたものかを指定することを特徴とする請求項７に記載の表示装置。
【請求項９】
前記符号は直交符号であることを特徴とする請求項１から８のいずれか１項に記載の表示装置。
【請求項１０】
表示部に表示する表示データを生成する表示データ生成工程と、
前記表示データ生成工程にて生成された表示データをＮ（Ｎは２以上の整数）組に分割し、前記表示データの各画素の画素データを画素毎にＫ（Ｋは２以上の整数）組のビットデータに分割し前記Ｋ個のシリアル信号を生成する分割工程と、
各々の前記分割工程にて生成されたシリアル信号に対して、それぞれが異なる符号を乗算し、前記乗算の結果を出力する乗算工程と、
前記乗算工程にて出力された信号をＭ（Ｍは、Ｍ≦Ｋの整数）個のシリアル信号に合成する合成工程と、
前記合成工程にて合成されたシリアル信号と前記符号との相関を計算することにより、前記合成工程にて合成されたシリアル信号を前記Ｋ個のシリアル信号に復元する復元工程と、
前記復元工程にて復元されたシリアル信号を並列信号に復元し、前記復元された並列信号に基づき前記表示部を駆動する駆動工程とを有することを特徴とする表示装置の制御方法。
【請求項１１】
表示部に表示する表示データを生成する表示データ生成工程と、
前記表示データ生成工程にて生成された表示データをＮ（Ｎは２以上の整数）組に分割し、前記表示データを前記各組毎に所定の画素順に所定のビット順でビットデータに変換して前記Ｎ個のビット並列のシリアル信号として生成する分割工程と、
各々の前記分割工程にて生成されたシリアル信号に対して、それぞれが異なる符号を乗算し、前記乗算の結果の信号を出力する乗算工程と、
前記乗算工程にて出力された信号をＭ（Ｍは、Ｍ≦Ｋの整数）個のシリアル信号に合成する合成工程と、
前記合成工程にて合成されたシリアル信号と前記符号との相関を計算することにより、前記合成工程にて合成されたシリアル信号を前記Ｎ個のシリアル信号に復元するように動作させる復元工程と、
前記復元工程にて復元されたシリアル信号を並列信号に復元し、前記復元された並列信号に基づき前記表示部を駆動する駆動工程とを有することを特徴とする表示装置の制御方法。
【請求項１２】
マトリックス状に配置された表示素子を有する表示部に表示する表示データを生成する表示データ生成工程と、
前記表示データ生成部にて生成された表示データをＮ（Ｎは２以上の整数）組に分割し、前記表示データを前記各組毎に所定の画素順に所定のビット順でビットデータに変換して前記Ｎ個のビット並列のシリアル信号を生成する分割工程と、
各々の前記分割部にて生成されたシリアル信号に対して、それぞれが異なる符号を乗算し、前記乗算の結果の信号を出力する乗算工程と、
前記乗算部にて出力された信号をＭ（Ｍは、Ｍ≦Ｋの整数）個のシリアル信号に合成する合成工程と、
前記合成部にて合成されたシリアル信号と前記符号との相関を計算することにより、前記合成部にて合成されたシリアル信号を前記Ｎ個のシリアル信号に復元する復元工程と、
前記復元工程により復元されたシリアル信号を記憶する記憶工程と、
前記記憶工程にて記憶されたシリアル信号を並列信号に復元し、前記復元された並列信号に基づき前記表示部を前記表示素子の列毎に駆動する駆動工程とを有することを特徴とする表示装置の制御方法。
【請求項１３】
マトリックス状に配置された表示素子を有し線順次走査により表示駆動される表示部に表示する表示データを、前記表示部の走査線毎に生成する表示データ生成工程と、
前記表示データ生成工程にて生成された表示データを所定の各前記表示素子に駆動データとして配分し、Ｎ（Ｎは２以上の整数）組の駆動部を駆動する駆動工程と、
前記表示部の隣接する走査線間で表示データの異なる部分を検出する検出工程と、
前記検出部にて検出された結果に基づき、直近の走査線上で表示される表示データと異なる表示データが表示される１以上の画素を含む組に対してのみ、前記表示データ生成工程から前記駆動工程へ表示データを送出するように動作させる表示データ選択送出工程とを有することを特徴とする表示装置の制御方法。
【手続補正２】
【補正対象書類名】明細書
【補正対象項目名】発明の名称
【補正方法】変更
【補正の内容】
【発明の名称】表示装置および表示装置の制御方法
【手続補正３】
【補正対象書類名】明細書
【補正対象項目名】００２０
【補正方法】変更
【補正の内容】
【００２０】
本発明による表示装置は、表示データを表示する表示部と、前記表示部に表示される表示データをＮ（Ｎは２以上の整数）組に分割し、前記表示データの各画素の画素データを画素毎にＫ（Ｋは２以上の整数）組のビットデータに分割し前記Ｋ個のシリアル信号を生成する分割部と、各々の前記分割部が生成したシリアル信号に対して、それぞれが異なる符号を乗算し、前記乗算の結果の信号を出力する乗算部と、前記乗算部にて出力された信号をＭ（Ｍは、Ｍ≦Ｋの整数）個のシリアル信号に合成する合成部と、前記合成部にて合成されたシリアル信号と前記符号との相関を計算することにより、前記合成部にて合成されたシリアル信号をＫ個のシリアル信号に復元するＮ個の復元部と、前記復元部にて復元されたシリアル信号を並列信号に復元し、前記復元された並列信号に基づき前記表示部を駆動するＮ組の駆動部とを有することを特徴とする。
【手続補正４】
【補正対象書類名】明細書
【補正対象項目名】００２１
【補正方法】変更
【補正の内容】
【００２１】
本発明のこの構成により、表示手段に伝送される表示データは符号分割多重され伝送されるので、線路に必要な帯域幅を狭くすることが出来、伝送が容易に実現可能となり、少ない伝送線路数による伝送や、各々の伝送路に要求される周波数帯域の制限の緩和が可能になる。さらに、従来並列に出力され伝送されるか、または並直変換し高速なシリアルデータとして伝送していた画素データを、画素毎の符号分割多重により伝送することを可能とし、少ない伝送線路数によっての伝送が可能となり、またビット毎の転送速度を下げることができ、伝送線路に要求される条件を緩和できる。
本発明による表示装置は、表示データを表示する表示部と、前記表示部に表示される表示データをＮ（Ｎは２以上の整数）組に分割し、前記表示データを前記各組毎に所定の画素順に所定のビット順でビットデータに変換して前記Ｎ個のビット並列のシリアル信号として生成する分割部と、各々の前記分割部にて生成されたシリアル信号に対して、それぞれが異なる符号を乗算し、前記乗算の結果の信号を出力する乗算部と、前記乗算部にて出力された信号をＭ（Ｍは、Ｍ≦Ｋの整数）個のシリアル信号に合成する合成部と、前記合成部にて合成されたシリアル信号と前記符号との相関を計算することにより、前記合成部にて合成されたシリアル信号を前記Ｎ個のシリアル信号に復元する前記Ｎ個の復元部と、前記復元部にて復元されたシリアル信号を並列信号に復元し、前記復元された並列信号に基づき前記表示部を駆動するＮ組の駆動部とを有することを特徴とする。
本発明のこの構成により、表示手段に伝送される表示データは符号分割多重され伝送されるので、線路に必要な帯域幅を狭くすることが出来、伝送が容易に実現可能となり、少ない伝送線路数による伝送や、各々の伝送路に要求される周波数帯域の制限の緩和が可能になる。さらに、従来高速なシリアルデータとして伝送していた画素データを符号分割多重による伝送を可能とし、少ない伝送線路数によっての伝送が可能となり、またビット毎の転送速度を下げることができ、伝送線路に要求される条件を緩和できる。
本発明による表示装置の前記表示部は、マトリックス状に配置された表示素子を有し、線順次走査により表示されることを特徴とする。
【手続補正５】
【補正対象書類名】明細書
【補正対象項目名】００２２
【補正方法】変更
【補正の内容】
【００２２】
本発明の前記構成によれば、平面テレビジョンやノートブックコンピュータの表示など大型大容量の表示装置に実施が可能となる。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
本発明による表示装置は、マトリックス状に配置された表示素子を有する表示部と、前記表示部に表示される表示データをＮ（Ｎは２以上の整数）組に分割し、前記表示データを前記各組毎に所定の画素順に所定のビット順でビットデータに変換して前記Ｎ個のビット並列のシリアル信号を生成する分割部と、各々の前記分割部にて出力されたシリアル信号に対して、それぞれが異なる符号を乗算し、前記乗算の結果の信号を出力する乗算部と、前記乗算部にて出力された信号をＭ（Ｍは、Ｍ≦Ｋの整数）個のシリアル信号に合成する合成部と、前記合成部にて合成されたシリアル信号と前記符号との相関を計算することにより、前記合成部にて合成されたシリアル信号を前記Ｎ個のシリアル信号に復元する前記Ｎ個の復元部と、前記復元部にて復元されたシリアル信号を記憶する記憶部と、前記記憶部に記憶されたシリアル信号を並列信号に復元し、前記復元された並列信号に基づき前記表示部を前記表示素子の列毎に駆動する前記Ｎ組の駆動部とを有することを特徴とする。
【手続補正８】
【補正対象書類名】明細書
【補正対象項目名】００２５
【補正方法】変更
【補正の内容】
【００２５】
本発明の上記構成によれば、表示データの受信側で表示情報を記憶させることが可能であるため、既に送出した表示データに変更がなければ該記憶手段に記憶している表示データを使用し表示できるので、表示データの送出を止めて回路の消費電力を低減することが可能である。さらに、従来高速なシリアルデータとして伝送していた画素データを符号分割多重による伝送を可能とし、少ない伝送線路数によっての伝送が可能となり、またビット毎の転送速度を下げることができ、伝送線路に要求される条件を緩和できる。
本発明による表示装置は、前記分割部は、前記表示部において表示しなおすことが必要な表示データの組のみを出力することを特徴とする。
【手続補正９】
【補正対象書類名】明細書
【補正対象項目名】００２６
【補正方法】変更
【補正の内容】
【００２６】
本発明による上記構成によれば、表示手段に対して伝送される画素データは前記表示部において表示しなおすことが必要な部分に対してのみ行うことを可能とし、従ってフレーム毎に表示画像が静止していても、常に画像データを転送更新する従来の方式に比べて、著しくその消費電力を減らすことが可能となる。
本発明による表示装置は、前記乗算部に供給される符号を発生する第１拡散符号発生部と、前記復元部に供給され、前記乗算部に供給される符号と同一の符号を発生する第２拡散符号発生部とを有し、前記第１拡散符号発生回路と前記第２拡散符号発生部とは同一のクロック信号にて同期が取られることを特徴とする。
【手続補正１０】
【補正対象書類名】明細書
【補正対象項目名】００２７
【補正方法】変更
【補正の内容】
【００２７】
本発明による上記構成によれば、受信側での拡散符号発生の同期のための信号を直接送信側から取得することが可能となる。このため、受信側で拡散符号発生の同期を取るための特別な回路が必要なくなり、同期捕捉を簡略化することができる。
本発明による表示装置は、マトリックス状に配置された表示素子を有し線順次走査により表示駆動される表示部と、前記表示部の走査線毎に表示データを生成する表示データ生成部と、前記表示データ生成部にて生成された表示データを所定の各表示素子に駆動データとして配分するＮ（Ｎは２以上の整数）組の駆動部と、隣接する走査線間で表示データの異なる部分を検出する検出部と、前記検出部の検出結果に基づき、直近の走査線上で表示される表示データと異なる表示データが表示される１以上の画素を含む組に対してのみ、前記表示データ生成部から前記駆動部へ表示データを送出する表示データ選択送出部とを有することを特徴とする。
【手続補正１１】
【補正対象書類名】明細書
【補正対象項目名】００２９
【補正方法】変更
【補正の内容】
【００２９】
本発明による表示装置は、前記駆動部の各組には、符号多重のための符号が割り振られており、前記表示データ生成部から前記駆動部への表示データの伝送は、前記符号により前記駆動部のどの組へ送られたものかを指定することを特徴とする。
本発明の上記構成によれば、表示データの配信のためのアドレシングは符号により行われるため、簡単な回路で実現が可能である上に、伝送レートを低減でき、また線路におけるひずみ等の障害に対しても耐性を強く出来る。伝送される信号の周波数成分は拡散され、ＥＭＩ対策についても大きな効果がある。
【手続補正１２】
【補正対象書類名】明細書
【補正対象項目名】００５５
【補正方法】変更
【補正の内容】
【００５５】
また、Ｘドライバ５１３の組の数（すなわちＮ）は大きくするほど、表示データ信号１１６の送信／停止の制御がきめ細かく実行でき、低消費電力化の効果も大きくなる。最もＮを大きくした場合は、Ｎ＝ｎ（横方向の画素数）である。しかし、あまりＮを大きくすると、符号長が長くなり、多重化／復元の演算量が増加するというトレードオフがある。
表示データ信号１１６の送出順序は、Ｄ１１、Ｄ１２、・・・、Ｄ１（ｎ／Ｎ）、Ｄ２１、Ｄ２２、・・・、Ｄ２（ｎ／Ｎ）、・・・のように、左から右に画素毎に各ビットｂｋ（ｋ＝１、２、・・）を多重化しても良いし、Ｄ１１、Ｄ２１、・・・、ＤＮ１の各ｂ１を多重化し、続いて各ｂ２が多重化されるようにビット毎に多重化して送出して１画素目が終了した後、２画素目すなわちＤ１２、Ｄ２２、・・・ＤＮ２のｂ1を多重化し、続いてｂ２を多重化するようにしても良い。各組および各ビットは、拡散符号によってアドレスできるので、送出順序は任意に変更可能である。前者の方法では、ビデオメモリ１０２から読み出した表示データ信号１１６を並べ替え無しに送出できる利点はあるが、データ更新の必要のない組に対して無信号の期間が存在するため、ビット転送レートが高い。後者の方法では、液晶コントローラ１０３が組毎の画素のデータを読み出し、一旦蓄えてビット毎に並べ替えて出力しなければならないが、ビットあたりの転送速度を下げることが出来る。